(57)【特許請求の範囲】
【請求項１】
患者の医用画像を撮影して表示する医用画像診断システムであって、 
前記患者を撮影する撮影手段と、 
前記撮影手段による撮影の撮影条件を設定して前記撮影手段を操作する操作コンソールであって、患者に関する固有の情報を入力する入力部を有する操作コンソールと、
患者の氏名、性別、年齢、体重を含む患者に関する固有の情報と共に、当該患者の生体情報が記憶された外部記憶媒体と、 
前記外部記憶媒体に記憶された患者の氏名、性別、年齢、体重を含む患者に関する固有の情報を読み込み、前記操作コンソールに入力部に入力させる読込手段と、
患者の生体情報を検出する検出手段と、 
前記検出手段によって検出された生体情報を、前記外部記憶媒体に記憶された患者の生体情報と照合する生体認証手段と、 
を備え、 
前記操作コンソールは、前記生体認証手段による認証の結果一致した場合のみ、前記患者の氏名、性別、年齢、体重を含む患者に関する固有の情報を前記入力部に入力するものである
ことを特徴とする医用画像診断システム。 
【請求項２】
前記外部記憶媒体には、前記患者の過去の検査における撮影条件が記憶されており、 
前記操作コンソールの入力部は、前記撮影条件を入力し、 
前記撮影手段は前記撮影条件において前記患者を撮影するものである 
ことを特徴とする請求項１に記載の医用画像診断システム。 
【請求項３】
前記検出手段及び前記生体認証手段は、前記外部記憶媒体に具備されていることを特徴とする請求項１または２に記載の医用画像診断システム。
【請求項４】
前記外部記憶媒体はＵＳＢメモリデバイスであることを特徴とする請求項１〜３のいずれか一項に記載の医用画像診断システム。
【請求項５】
前記生体情報は、指紋であることを特徴とする請求項１〜４のいずれか一項に記載の医用画像診断システム。
【請求項６】
前記読込手段は、前記患者を撮影する撮影手段に設けられていることを特徴とする請求項１〜５のいずれか一項に記載の医用画像診断システム。
【請求項７】
前記撮影手段がＸ線ＣＴ装置における撮影手段であることを特徴とする請求項１〜６のいずれか一項に記載の医用画像診断システム。
【請求項８】
請求項１〜７のいずれか一項に記載の医用画像診断システムに用いられる医用画像診断装置。
【発明の詳細な説明】
【技術分野】
【０００１】
本発明は、患者の医用画像を撮影して表示する医用画像診断システム及び医用画像診断装置に関する。
【背景技術】
【０００２】
患者の医用画像を撮影して表示する医用画像診断装置としては、例えばＸ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置及び超音波診断装置などが知られている（例えば、特許文献１参照）。
【０００３】
これら医用画像診断装置の検査手順について、Ｘ線ＣＴ装置を例に挙げて説明すると、先ず、検査者（技師）が患者に口頭で名前を確認するなどして、患者の本人確認を行なう。次に、検査者は、操作コンソールにおける表示装置の画面に表示された入力画面上において、キーボードなどを用いて、患者の氏名、性別、年齢、体重、身長などの患者情報を初期入力情報として入力する。その後に、検査者は同じく操作コンソールにおいて、スキャン開始位置、スキャン終了位置、ガントリの回転速度、テーブルの移動速度、スライス厚、管電圧などの撮影条件の入力を行う。そして、入力された条件にて撮影が行われる。
【特許文献１】特開２００７−３２５８５３号公報
【発明の開示】
【発明が解決しようとする課題】
【０００４】
上述のような検査手順の中で、検査者が検査室において、操作コンソール上から入力する情報は多数にわたっている。そこで、本願発明者は、検査室における検査手順の簡素化について検討したところ、検査室の操作コンソール上において検査者が入力すべき情報と、必ずしも検査者が検査室における操作コンソール上において入力する必要はない情報とがあることに着目した。すなわち、撮影条件については、一般的に、検査者の経験や知識などに基づいて、最適な条件で撮影が行われるように、検査室の操作コンソール上において入力されるべき情報である。一方、氏名、性別、年齢、体重、身長などの患者情報については、必ずしも検査者が検査室の操作コンソール上において入力しなければならない性質のものではない。従って、このような情報については、操作コンソール上ではなく、しかも検査者以外の者が検査前に入力することができれば、検査者の負担が軽減され、また検査時間も短縮化されて患者の負担も軽減される。
【０００５】
また、本願発明者は、その他の検査手順についても見直しを行なった。その結果、従来は口頭などで行なわれている患者の本人確認について、より確実になおかつ簡単に行なえるようにすることが好ましく、この点についても鋭意検討した。
【０００６】
本発明は、このような事情に基づいてなされたものであり、その解決しようとする課題は、医用画像診断システム又は医用画像診断装置における検査を行う際の検査手順を簡素化するとともに、患者の本人確認を確実かつ簡単に行なえるようにし、これによって検査の際のワークフローを改善することである。
【課題を解決するための手段】
【０００７】
この発明は、前記課題を解決するためになされたものであり、第１の観点の発明は、患者の医用画像を撮影して表示する医用画像診断システムであって、患者の生体情報を検出する検出手段と、生体情報その他の患者に関する固有の情報が記憶された外部記憶媒体と、前記検出手段によって検出された生体情報を、前記外部記憶媒体に記憶された患者の生体情報と照合する生体認証手段と、前記外部記憶媒体に記憶された患者に関する固有の情報のうち、検査の際に表示させる情報を読み込む読込手段と、前記検出手段によって検出された生体情報と前記外部記憶媒体に記憶された患者の生体情報とが一致した場合に、前記読込部によって読み込まれた情報が表示される表示部と、が具備されていることを特徴とする医用画像診断システムである。
【０００８】
第２の観点の発明は、第１の観点の発明において、前記外部記憶媒体には患者の顔画像が記憶されており、この顔画像が前記表示部に表示されることを特徴とする医用画像診断システムである。
【０００９】
第３の観点の発明は、第１，２の観点の発明において、前記外部記憶媒体には、検査者により設定された患者の撮影条件が記憶されており、前記医用画像診断システムには、前記撮影条件で撮影を制御する制御部が具備されていることを特徴とする医用画像診断システムである。
【００１０】
第４の観点の発明は、第１〜３のいずれか一の観点の発明において、前記検出手段及び前記生体認証手段は、前記外部記憶媒体に具備されていることを特徴とする医用画像診断システムである。
【００１１】
第５の観点の発明は、第１〜４のいずれか一の観点の発明において、前記外部記憶媒体はＵＳＢメモリデバイスであることを特徴とする医用画像診断システムである。
【００１２】
第６の観点の発明は、第１〜５のいずれか一の観点の発明において、前記生体情報は、指紋であることを特徴とする医用画像診断システムである。
【００１３】
第７の観点の発明は、第１，２の観点の発明の医用画像診断システムに用いられる医用画像診断装置であって、前記読込手段及び前記表示部が具備されていることを特徴とする医用画像診断装置である。
【００１４】
第８の観点の発明は、第１，２の観点の発明の医用画像診断システムに用いられる医用画像診断装置であって、前記検出手段、前記生体認証手段、前記読込手段及び前記表示部が具備されていることを特徴とする医用画像診断装置である。
【００１５】
第９の観点の発明は、第３の観点の発明の医用画像診断システムに用いられる医用画像診断装置であって、前記読込手段、前記表示部及び前記制御部が具備されていることを特徴とする医用画像診断装置である。
【００１６】
第１０の観点の発明は、第５の観点の発明の医用画像診断システムに用いられる医用画像診断装置であって、前記読込手段、前記表示部、前記制御部が具備され、さらに前記ＵＳＢメモリデバイスを接続するＵＳＢポートが具備されていることを特徴とする医用画像診断装置である。
【発明の効果】
【００１７】
第１の観点の発明によれば、前記生体認証手段により、前記検出手段で検出された生体情報を、前記外部記憶媒体に記憶された生体情報と照合することで、患者であるか否かの確認を確実かつ簡単に行なうことができる。また、前記生体認証手段による照合結果が一致した場合に、前記読込手段によって読み込まれた患者に関する固有の情報が表示されるので、かかる情報を検査者が手入力する手間を省くことができる。これにより、検査の際のワークフローを改善することができる。
【００１８】
第２の観点の発明によれば、前記外部記憶媒体に記憶された顔画像を前記表示部に表示させることができ、これにより、患者本人であるか否かの確認を確実かつ簡単に行なうこともできる。
【００１９】
第３の観点の発明によれば、例えば過去に検査を行った患者については、過去の検査時に検査者によって設定された患者の撮影条件が前記外部記憶媒体に記憶されており、再度同じ撮影条件で検査を行う際に、前記外部記憶媒体に記憶された撮影条件で、撮影が行われる。従って、過去の検査と同じ撮影条件で撮影を行うような場合には、改めて撮影条件を入力する必要がなくなり、検査手順を一層簡素化することができる。
【００２０】
第４の観点の発明によれば、前記外部記憶媒体において、生体認証に必要なすべての処理、すなわち生体情報の検出、及び検出された生体情報と前記外部記憶媒体に記憶されている生体情報との照合を行なうことができる。
【００２１】
第５の観点の発明によれば、前記外部記憶媒体はＵＳＢメモリデバイスなので、持ち運びに便利である。
【００２２】
第６の観点の発明によれば、指紋により、患者本人であるか否かの確認を確実に行なうことができる。
【００２３】
第７，８の観点の発明によれば、第１，２の観点の発明と同様の効果を得ることができる。
【００２４】
第９の観点の発明によれば、第３の観点の発明と同様の効果を得ることができる。
【００２５】
第１０の観点の発明によれば、第５の観点の発明と同様の効果を得ることができる。
【発明を実施するための最良の形態】
【００２６】
以下、本発明の実施形態について図面に基づいて詳細に説明する。図１は、本発明に係る医用画像診断システムの一実施形態であるＸ線ＣＴシステムの一例を示す外観図、図２は、図１に示すＸ線ＣＴシステムの概略構成を示すブロック図、図３は、図１に示すＸ線ＣＴシステムにおけるＵＳＢメモリデバイスの概略構成を示すブロック図である。
【００２７】
図１及び図２に示すように、Ｘ線ＣＴシステム１は、ガントリ（ｇａｎｔｒｙ）１００、テーブル装置２００及び操作コンソール（ｃｏｎｓｏｌｅ）３００を有するＸ線ＣＴ装置２と、ＵＳＢ（Ｕｎｉｖｅｒｓａｌ  Ｓｅｒｉａｌ  Ｂｕｓ）メモリデバイス４００とを有して構成されている。
【００２８】
前記ガントリ１００は、空洞部１０１を有するドーナツ状の回転体１０２を備えている。この回転体１０２内には、Ｘ線を発生するＸ線管１０３と、このＸ線管１０３からのＸ線の照射範囲を規定するコリメータ１０４とが設けられている。また、前記回転体１０２内には、前記Ｘ線管１０３から照射され、患者を透過したＸ線を検出するＸ線検出部１０５と、このＸ線検出部１０５により得られた投影データを収集するデータ収集部１０６とが設けられている。前記Ｘ線管１０３及び前記コリメータ１０４と、前記Ｘ線検出部１０５及び前記データ収集部１０６とは、互いに前記空洞部１０１を挟んで対向する位置に設けられ、その関係が維持された状態で前記回転体１０２が回転するようになっている。
【００２９】
また、前記ガントリ１００は、前記Ｘ線管１０３を制御するＸ線管コントローラ１０７と、前記回転体１０２の回転を制御する回転体コントローラ１０８とを備えている。これらＸ線管コントローラ１０７及び回転体コントローラ１０８へは、メインコントローラ１０９から制御信号が出力されるようになっている。このメインコントローラ１０９は、所定の撮影条件で撮影（スキャン）が行われるように、前記Ｘ線管コントローラ１０７及び前記回転体コントローラ１０８のほか、前記ガントリ１００の各部及び前記テーブル装置２００へ制御信号を出力するようになっている。
【００３０】
さらに、前記ガントリ１００には、各種の情報を表示させるための表示部１１０が設けられている。
【００３１】
また、前記ガントリ１００には、ＵＳＢポート１１１が設けられている。そして、前記メインコントローラ１０９には、前記ＵＳＢポート１１１に接続された前記ＵＳＢメモリデバイス４００における情報を読み込む読込部１０９１が具備されている。具体的には、この読込部１０９１は、前記ＵＳＢメモリデバイス４００に記憶された患者に関する固有の情報のうち、少なくとも検査の際に表示させる情報（後述）を読み込むようになっている。前記読込部１０９１は、本発明における読込手段の実施の形態の一例である。
【００３２】
また、本例では、前記読込部１０９１は、前記ＵＳＢメモリデバイス４００の後述する生体認証部４０１１における指紋の照合結果も読み込むようになっている。
【００３３】
図３に基づいて前記ＵＳＢメモリデバイス４００の構成を説明する。このＵＳＢメモリデバイス４００は、本発明における外部記憶媒体の実施の形態の一例であり、制御部４０１と、メモリ部４０２と、指紋センサ４０３と、ＵＳＢインタフェース４０４とが具備されている。
【００３４】
前記メモリ部４０２には、患者に関する固有の情報が記憶されている。この患者に関する固有の情報としては、医用画像診断装置において、検査にあたって表示される患者の情報が挙げられる。このメモリ部４０２に記憶された検査にあたって表示される患者の情報は、検査にあたり入力が必要ではあるが、必ずしも検査者が検査室における前記操作コンソール３００上において入力する必要のない情報である。本例では、この患者に関する情報として、従来の検査手順において、撮影条件を入力する前に入力される初期入力情報である患者の氏名、性別、年齢、体重、身長などの情報が、前記メモリ部４０２に記憶されている。本例では、これらの情報（以下、「初期入力情報」と云う）は、前記読込部１０９１により読み込まれ、前記操作コンソール３００の後述する表示装置３０３に表示される。
【００３５】
また、前記メモリ部４０２には、患者に関する固有の情報として、患者の生体情報も記憶されている。本例では、この生体情報として、患者の指紋のデータが記憶されている。ちなみに、前記指紋センサ４０３は、患者の生体情報を検出する検出手段の実施の形態の一例である。
【００３６】
前記制御部４０１には、前記指紋センサ４０３で読み取られた指紋を、前記メモリ部４０２に記憶された指紋と照合する生体認証部４０１１が具備されている。また、前記制御部４０１は、前記生体認証部４０１１における照合結果を前記読込部１０９１へ出力するようになっており、さらに前記メモリ部４０２に記憶された初期入力情報も、前記読込部１０９１へ出力するようになっている。前記制御部４０１からの出力信号は、前記ＵＳＢインタフェース４０４により、前記ＵＳＢポート１１１を通じて前記読込部１０９１へ出力されるようになっている。そして、前記読込部１０９１へ入力された前記初期入力情報及び指紋の照合結果は、前記操作コンソール３００の後述する中央処理装置３０１へ出力されるようになっている。また、前記メインコントローラ１０９は、前記読込部１０９１へ入力された指紋の照合結果を、前記表示部１１０に表示させるようになっている。
【００３７】
前記テーブル装置２００は、図１に示すように、基台２０１上にスライド自在に設けられた天板２０２を備え、この天板２０２に患者を載せて前記ガントリ１００へ搬送するようになっている。前記テーブル装置２００へは、前記メインコントローラ１０９からの制御信号が入力されて制御されるようになっている。
【００３８】
前記操作コンソール３００は、装置全体の制御を行なう中央処理装置３０１、操作者の入力を受け付けるキーボード（ｋｅｙｂｏｒｄ）などの入力装置３０２、前記中央処理装置３０１によって画像再構成された断層像を表示する表示装置３０３、プログラム（ｐｒｏｇｒａｍ）やデータ（ｄａｔａ）やＸ線断層像などを記憶する記憶装置３０４を備えている。
【００３９】
前記中央処理装置３０１は、前記ガントリ１００のメインコントローラ１０９から出力された初期入力情報と指紋の照合結果とを前記表示装置３０３に表示させる。ただし、本発明において、指紋の照合結果を報知する報知手段は、前記表示装置３０３や、前記表示部１１０に限られるものではなく、例えば患者本人であるか否かを、前記操作コンソール３００において音声などで知らせるようにしてもよい。
【００４０】
さて、前記Ｘ線ＣＴシステム１を使用した検査を行う際のフローについて説明する。図４は、本例のＸ線ＣＴシステム１を使用した検査を行う際のフロー図である。この図４に示すように、前記Ｘ線ＣＴシステム１を使用した検査を行うにあたり、先ずステップＳ１では、前記ＵＳＢメモリデバイス４００に、前記初期入力情報と患者の指紋を記憶させる。このステップＳ１の過程は、前記Ｘ線ＣＴ装置２が設置された検査室とは別の場所において行われる。具体的には、初期入力情報については、例えば検査室とは別の場所に置かれたパーソナルコンピュータなどに前記ＵＳＢメモリデバイス４００を接続して入力を行い、前記メモリ部４０２に記憶させる。また、指紋データについては、前記指紋センサ４０３で患者の指紋を読み取り、これを前記メモリ部４０２に記憶させる。
【００４１】
次に、ステップＳ２では、患者は、前記ＵＳＢメモリデバイス４００を持って前記Ｘ線ＣＴ装置２が設置された検査室へ移動し、検査を受ける。そして、検査が終了すると、ステップＳ３において、前記ＵＳＢメモリデバイス４００を受付へ返却する。
【００４２】
ステップＳ２の検査の過程について図５に基づいて説明する。図５は、本例のＸ線ＣＴ装置システム１における検査手順のフロー図である。この図５に示すように、先ずステップＳ２１では、前記ＵＳＢメモリデバイス４００が前記ＵＳＢポート１１１へ挿入される。次に、ステップＳ２２では、患者の本人確認が行なわれる。具体的には、先ず患者が前記指紋センサ４０３に指を置くことにより、この指紋センサ４０３が指紋を読み取る。そして、前記制御部４０１の生体認証部４０１１は、前記指紋センサ４０３で読み取られた指紋を、前記メモリ部４０２に記憶された指紋と照合し、照合結果として、両者が一致していた場合には一致信号を前記ガントリ１００の読込部１０９１へ出力し、一方で一致していない場合には不一致信号を前記読込部１０９１へ出力する。
【００４３】
ここで、前記生体認証部４０１１による指紋の照合は、前記ＵＳＢメモリデバイス４００が前記ＵＳＢポート１１１へ挿入される前になされていてもよい。例えば、患者が前記ＵＳＢメモリデバイス４００を前記ＵＳＢポート１１１へ挿入しようとして手に持ったときに、前記指紋センサ４０３で指紋が読み取られ、指紋の照合が行なわれてもよい。このようにすることで、速やかな生体認証が行なわれ、検査のワークフローの改善につながる。
【００４４】
前記メインコントローラ１０９は、前記読込部１０９１へ入力された一致信号又は不一致信号を前記中央処理装置３０１へ出力する。前記中央処理装置３０１は、一致信号が入力されたときは、前記表示装置３０３に患者本人であることを示す表示を表示させる。一方、前記中央処理装置３０１は、不一致信号が入力されたときは、前記表示装置３０３に患者とは別人であることを示す表示を表示させる。
【００４５】
また、前記メインコントローラ１０９は、前記読込部１０９１へ一致信号が入力されたときは、前記操作コンソール３００の表示装置３０３と同様に、前記表示部１１０に患者本人であることを示す表示を表示させる。これにより、患者本人であるか否かを確実かつ簡単に確認することができる。また、前記メインコントローラ１０９は、前記読込部１０９１へ不一致信号が入力されたときは、前記表示部１１０に患者とは別人であることを示す表示を表示させる。このように、前記操作コンソール３００の表示装置３０３のほかに、前記ガントリ１００の表示部１１０に、指紋の比較結果を表示させることにより、前記ガントリ１００の近傍で作業をする者も、患者本人か否かの確認をすることができる。
【００４６】
ステップＳ２２において、前記生体認証部４０１１による照合結果が一致であった場合（患者本人である場合）、ステップＳ２３へ進む。一方、ステップＳ２２において、前記生体認証部４０１１による照合結果が不一致であった場合（患者本人ではなかった場合）、検査は中止となり、ステップＳ３へ進む。
【００４７】
前記読込部１０９１は、前記生体認証部４０１１から一致信号が入力された場合、ステップＳ２３において、前記ＵＳＢメモリデバイス４００から前記初期入力情報を読み込む。そして、この初期入力情報が前記中央処理装置３０１へ出力されて前記表示装置３０３に表示されるとともに、前記記憶装置３０４に記憶される。
【００４８】
ここで、前記読込部１０９１は、前記ＵＳＢメモリデバイス４００から前記初期入力情報を予め読み込んでおき、前記生体認証部４０１１から一致信号が入力された場合にのみ、前記初期入力情報が前記中央処理装置３０１へ出力されるようになっていてもよい。
【００４９】
次に、ステップＳ２４では、撮影条件として、スキャン開始位置、スキャン終了位置、ガントリの回転速度、テーブルの移動速度、スライス厚、管電圧などを前記操作コンソール３００の入力装置３０２から入力する。そして、ステップＳ２５において撮影（スキャン）を行い、断層像を得る。
【００５０】
ちなみに、得られた断層像を、前記ＵＳＢメモリデバイス４００のメモリ部４０２に記憶させてもよい。また、前記メモリ部４０２には、検査とは別に行われる医師による診察結果（カルテ情報）を記憶させてもよい。このようにすることで、診察から検査に至るまで、患者に関する情報を前記ＵＳＢメモリデバイス４００によって一括管理することができる。
【００５１】
以上説明した本例のＸ線ＣＴシステム１によれば、前記生体認証部４０１１により、前記ＵＳＢメモリデバイス４００の指紋センサ４０３で検出された生体情報を、前記メモリ部４０２に記憶された生体情報と照合することで、患者であるか否かの確認を確実かつ簡単に行なうことができる。また、前記生体認証部４０１１による照合結果が一致した場合に、前記読込部１０９１によって読み込まれた患者に関する固有の情報が表示されるので、かかる情報を検査者が手入力する手間を省くことができる。これにより、検査の際のワークフローを改善することができる。
【００５２】
次に、上記実施形態の変形例について説明する。先ず、第一変形例について説明すると、前記ＵＳＢメモリデバイス４００のメモリ部４０２に、患者の顔画像が記憶されていてもよい。この場合、前記ＵＳＢメモリデバイス４００を前記ＵＳＢポート１１１に接続すると、前記読込部１０９１は、前記メモリ部４０２に記憶された顔画像を読み込み、これを前記表示部１１０に表示させる。また、前記読込部１０９１によって読み込まれた顔画像は、前記メインコントローラ１０９から前記操作コンソール３００の中央処理装置３０１へ出力される。そして、前記中央処理装置３０１は、前記メインコントローラ１０９から入力された顔画像を前記表示装置３０３に表示させる。このように、患者の顔画像を前記表示部１１０及び前記表示装置３０３に表示させることにより、患者本人であるか否かの確認を確実かつ簡単に行なうこともできる。
【００５３】
次に、第二変形例について説明する。この第二変形例においては、前記ＵＳＢメモリデバイス４００のメモリ部４０２に、検査者により設定された患者の撮影条件が記憶されていてもよい。この撮影条件は、過去の検査時に、検査者が前記操作コンソール３００において設定した条件である。具体的に、前記メモリ部４０２への撮影条件の記憶について説明する。検査者が前記操作コンソール３００の入力装置３０２から撮影条件を入力すると、この撮影条件は前記中央処理装置３０１から前記メインコントローラ１０９へ出力される。そして、前記メインコントローラ１０９へ入力された撮影条件は、前記ＵＳＢメモリデバイス４００へ出力され、前記メモリ部４０２に書き込まれる。
【００５４】
過去に検査を行った患者について、再度同じ撮影条件で検査を行う場合には、前記ＵＳＢメモリデバイス４００に記憶された撮影条件を用いて撮影を行う。具体的には、前記ＵＳＢメモリデバイス４００を前記ＵＳＢポート１１１に接続すると、前記読込部１０９１が前記メモリ部４０２に記憶された撮影条件を読み込む。そして、前記メインコントローラ１０９は、読み込まれた撮影条件で撮影が行われるように各部へ制御信号を出力する。前記メインコントローラ１０９は、本発明において、外部記憶媒体に記憶された撮影条件で撮影を制御する制御部の実施の形態の一例である。
【００５５】
ここで、前記読込部１０９１は、前記生体認証部４０１１による指紋の照合結果が一致であった場合に、前記撮影条件を読み込むようにしてもよい。
【００５６】
第二変形例によれば、過去の検査と同じ撮影条件で撮影を行う場合には、改めて撮影条件を入力する必要がなくなり、検査手順を一層簡素化することができる。
【００５７】
次に、第三変形例について説明する。上述の説明においては、前記ＵＳＢメモリデバイス４００に、前記指紋センサ４０３で読み取られた指紋を、前記メモリ部４０２に記憶された指紋と照合する生体認証部４０１１が具備されているが、本発明において、生体認証手段はＵＳＢメモリデバイスに具備されている場合に限られるものではなく、前記生体認証部４０１１は、特に図示しないものの、前記Ｘ線ＣＴ装置２側に備えていてもよい。例えば、前記ガントリ１００のメインコントローラ１０９、又は前記操作コンソール３００の中央処理装置３０１に、生体認証部が具備されていてもよい。この場合、この生体認証部は、前記ＵＳＢメモリデバイス４００から、前記指紋センサ４０３で検出された指紋データと、前記メモリ部４０２に記憶された指紋データとが入力されると、上記説明と同様にして両者の照合を行い、照合結果の出力を行なう。この場合でも、前記読込部１０９１は、生体認証部による照合結果が一致であった場合に、前記ＵＳＢメモリデバイス４００に記憶された初期入力情報を読み込む。あるいは、前記読込部１０９１によって前記初期入力情報が予め読み込まれており、照合結果が一致であった場合にのみ、この初期入力情報が前記中央処理装置３０１へ出力されて前記表示装置３０３に表示されるようになっていてもよい。
【００５８】
また、本発明において、患者の生体情報を検出する検出手段は、ＵＳＢメモリデバイスに具備されている場合に限られるものではない。例えば、特に図示しないが、前記生体認証部４０１１を前記Ｘ線ＣＴ装置２側に備えるとともに、前記指紋センサ４０３も、前記Ｘ線ＣＴ装置２側に備えていてもよい。この場合、前記読込部１０９１は、前記ＵＳＢメモリデバイス４００に記憶された指紋データを読み込み、このデータと前記指紋センサで検出された指紋データを前記生体認証部において照合する。
【００５９】
以上、本発明を前記各実施形態によって説明したが、この発明はこれらに限られるものではなく、本発明の主旨を変更しない範囲で種々変更実施可能なことはもちろんである。例えば、本発明は、ＭＲＩ装置を用いた医用画像診断システムや、超音波診断装置を用いた医用画像診断システムにも適用することができる。
【００６０】
また、患者の生体情報は、上記実施形態では指紋であったが、本発明においてはこれに限られるものではなく、例えば患者の声紋や網膜のパターンなどであってもよい。患者の生体情報が指紋以外である場合、前記ＵＳＢメモリデバイス４００は、前記指紋センサ４０３の代わりに、生体情報を検出する検出手段として声紋や網膜のパターンを検出するセンサを備えていてもよい。
【００６１】
さらに、前記ＵＳＢポート１１１、前記読込部１０９１は、上記実施形態では前記ガントリ１００に具備されているが、本発明はこれに限られるものではなく、例えば前記操作コンソール３００に具備されていてもよい。
【００６２】
また、外部記憶媒体の例として、上記実施形態ではＵＳＢメモリデバイスを挙げて説明したが、本発明における外部記憶媒体はこれに限られるものではなく、例えばＩＣタグやＩＣカードなどであってもよい。
【図面の簡単な説明】
【００６３】
【図１】本発明に係る医用画像診断システムの一実施形態であるＸ線ＣＴシステムの一例を示す外観図である。
【図２】図１に示すＸ線ＣＴシステムの概略構成を示すブロック図である。
【図３】図１に示すＸ線ＣＴシステムにおけるＵＳＢメモリデバイスの概略構成を示すブロック図である。
【図４】図４は、図１に示すＸ線ＣＴシステムを使用した検査を行う際のフロー図である。
【図５】図１に示すＸ線ＣＴ装置システムにおける検査手順のフロー図である。
【符号の説明】
【００６４】
１      Ｘ線ＣＴシステム（医用画像診断システム）
１０９  メインコントローラ（制御部）
１１０  表示部
１１１  ＵＳＢポート
３０３  表示装置
４００  ＵＳＢメモリデバイス
４０３  指紋センサ（生体情報の検出手段）
１０９１  読込部
４０１１  生体認証部
【図１】
0005383060.tif 000002
【図２】
0005383060.tif 000003
【図３】
0005383060.tif 000004
【図４】
0005383060.tif 000005
【図５】
0005383060.tif 000006